(57)【特許請求の範囲】
【請求項１】
記録媒体に記録された圧縮符号化データを読み込んで再生する圧縮符号化データ再生装置であって、
前記記録媒体に記録された圧縮符号化データの識別情報を取得する識別情報取得部と、
前記識別情報に対応する復号方式に基づき実行される復号が正常に行われなかった場合、他に対応可能な復号方式を順次切り替えて復号を試行し、復号が正常に行われた復号方式に基づき再生を行う再生制御部と、
を備えたことを特徴とする圧縮符号化データ再生装置。
【請求項２】
前記再生制御部は、
前記取得した識別情報に基づき、対応可能な復号方式を選択する復号選択部と、
前記復号選択部により選択された復号方式に従い前記記録媒体に記録された圧縮符号化データを復号する復号部と、
前記復号部による復号の可否に基づき、前記対応可能な復号方式を順次切り替え、再生可能な復号方式を検索して前記復号部に出力する復号切替え制御部と、
を備えたことを特徴とする請求項１に記載の圧縮符号化データ再生装置。
【請求項３】
記録媒体に記録された圧縮符号化データを読み込んで再生する圧縮符号化データ再生装置であって、
外部から復号方式を示す入力情報を取得する入力情報取得部と、
前記入力情報に対応する復号方式に基づき実行される復号が正常に行われなかった場合、他に対応可能な復号方式を順次切り替えて復号を試行し、復号が正常に行われた復号方式に基づき再生を行う再生制御部と、
を備えたことを特徴とする圧縮符号化データ再生装置。
【請求項４】
前記再生制御部は、
前記入力情報取得部を介して取得される入力情報に基づく復号方式に従い前記記録媒体に記録された圧縮符号化データを復号する復号部と、
前記復号部による復号の可否に基づき、前記対応可能な復号方式を順次切り替え、再生可能な復号方式を検索し、前記復号部に出力する復号切替え制御部と、
を備えたことを特徴とする請求項３記載の圧縮符号化データ再生装置。
【請求項５】
前記復号切替え制御部は、
前記復号部の出力に基づき、選択された復号方式に基づく復号の可否を判定する復号可否判定部と、
前記復号可否判定部で前記選択された復号方式に基づく復号が正常に行われなかったと判定された場合、他の対応可能な復号方式を検索する復号方式検索部と、
前記復号部による復号を、前記復号選択部により選択される復号方式、ならびに前記復号方式検索部により出力される復号方式に切替える復号方式切替え部と、
を備えたことを特徴とする請求項２記載の圧縮符号化データ再生装置。
【請求項６】
前記復号方式検索部は、
前記復号部による復号の都度、復号履歴情報記憶部に保存される復号履歴情報に基づき復号方式を検索して前記復号切替え制御部に出力することを特徴とする請求項５記載の圧縮符号化データ再生装置。
【請求項７】
前記復号切替え制御部は、
前記復号部の出力に基づき、選択された復号方式に基づく復号の可否を判定する復号可否判定部と、
前記復号可否判定部で前記選択された復号方式に基づく復号が正常に行われなかったと判定された場合、他の対応可能な復号方式を検索する復号方式検索部と、
前記復号部による復号を、前記入力情報により選択される復号方式、ならびに前記復号方式検索部により出力される復号方式に切替える復号方式切替え部と、
を備えたことを特徴とする請求項４記載の圧縮符号化データ再生装置。
【請求項８】
前記復号方式検索部は、
前記復号部による復号の都度、復号履歴情報記憶部に保存される復号履歴情報に基づき復号方式を検索して前記復号切替え制御部に出力することを特徴とする請求項７記載の圧縮符号化データ再生装置。
【請求項９】
記録媒体に記録された圧縮符号化データを読込み再生する圧縮符号化データ再生装置における圧縮符号化データの復号・再生方法であって、
前記圧縮符号化データ再生装置は、
前記記録媒体に記録された圧縮符号化データの識別情報を取得するステップと、
前記取得した識別情報に基づき、対応可能な復号方式を選択するステップと、
前記選択された復号方式に従い前記記録媒体に記録された圧縮符号化データを復号するステップと、
前記選択された復号方式に基づく復号の可否を判定し、前記復号が正常に行われなかった場合、他の対応可能な復号方式を検索するステップと、
前記検索された復号方式に順次切り替えて復号を試行し、復号が正常に行われた復号方式に基づき再生するステップと、
を有することを特徴とする圧縮符号化データ再生装置における圧縮符号化データの復号・再生方法。
【請求項１０】
記録媒体に記録された圧縮符号化データを読込み再生する圧縮符号化データ再生装置における圧縮符号化データの復号・再生方法であって、
前記圧縮符号化データ再生装置は、
外部から復号方式を示す入力情報を取得するステップと、
前記入力された復号方式に従い前記記録媒体に記録された圧縮符号化データを復号するステップと、
前記入力情報に対応する復号方式に基づき実行される復号が正常に行われなかった場合、他に対応可能な復号方式を検索するステップと、
前記検索された復号方式に順次切り替えて復号を試行し、復号が正常に行われた復号方式に基づき再生するステップと、
を有することを特徴とする圧縮符号化データ再生装置における圧縮符号化データの復号・再生方法。
【発明の詳細な説明】
【技術分野】
【０００１】
この発明は、特に、圧縮符号化方式の異なる圧縮符号化データが混在して記録されて成る記録媒体の再生に用いて好適な、圧縮符号化データ再生装置、および同装置における圧縮符号化データの復号・再生方法に関するものである。
【背景技術】
【０００２】
圧縮符号化方式の異なるデータブロックが混在したデータ系列を単一の記録媒体に統合的に記録し、また、復号再生可能なマルチメディアシステムに適した記録／再生装置が知られている（例えば、特許文献１参照）。
特許文献１に開示された技術によれば、入力データ系列の各データブロックに圧縮符号化方式を示す識別データを付加しておき、その識別情報に基づきあらかじめ用意された圧縮アルゴリズムを選択使用してデータ圧縮を行い、識別データとともに記録媒体に記録する。そして、復号時には、その識別データを参照して復号アルゴリズムを切替え、データ再生を実行する。
【先行技術文献】
【特許文献】
【０００３】
【特許文献１】特開平８−１０２１４１号公報（段落「００１０」〜「００１５」、図１、図５）
【発明の概要】
【発明が解決しようとする課題】
【０００４】
ところで、音声や映像等、マルチメディア圧縮データを、ＣＤ（Compact Disc）、ＤＶＤ（Digital Versatile Device）、ＨＤ（Hard Disc）等の記録媒体に記録するときに、システムからファイル名を設定することが要求される。このとき、ファイル名の拡張子は、システムにより、圧縮データの符号化方式に対応したものが自動的に付与される。
例えば、ＭＰ３（MPEG Audio Layer-3）方式により圧縮符号化されたファイルには“ＭＰ３”が、ＷＭＡ（Windows Media Audio）（Windowsは登録商標）方式により圧縮符号化されたファイルには“ＷＭＡ”が付与される。
【０００５】
上記した圧縮符号化データを再生するためには、再生装置が、記録媒体に記録されたファイルシステム（ファイル管理領域）を参照し、圧縮符号化データの拡張子によって決まる復号方式を選択して復号することにより再生している。具体的に、ＭＰ３で圧縮符号化されたＭＰ３音声メディアは、拡張子“ＭＰ３”、ＷＭＡに従い圧縮符号化されたＷＭＡ音声メディアは、拡張子“ＷＭＡ”の復号方式に従い復号し、再生している。
従って、ＭＰ３音声メディアであるにもかかわらず、拡張子として“ＷＭＡ”が付与されたファイル、あるいはその他の拡張子を持つファイルであった場合、使用する復号方式が異なるため、再生は不可能であった。
【０００６】
この発明は、上記の課題を解消するためになされたものであり、ファイルに付与された拡張子等の識別情報に依存することなく再生を可能とする、圧縮データ再生装置および同装置における復号・再生方法を提供することを目的とする。
【課題を解決するための手段】
【０００７】
この発明に係る圧縮符号化データ再生装置は、記録媒体に記録された圧縮符号化データの識別情報を取得する識別情報取得部と、前記識別情報に対応する復号方式に基づき実行される復号が正常に行われなかった場合、他に対応可能な復号方式を順次切り替えて復号を試行し、復号が正常に行われた復号方式に基づき再生を行う再生制御部とを備えたものである。
【０００８】
この発明に係る圧縮符号化データ再生装置は、外部から復号方式を示す入力情報を取得する入力情報取得部と、前記入力情報に対応する復号方式に基づき実行される復号が正常に行われなかった場合、他に対応可能な復号方式を順次切り替えて復号を試行し、復号が正常に行われた復号方式に基づき再生を行う再生制御部とを備えたものである。
【０００９】
この発明に係る圧縮符号化データ再生装置における圧縮符号化データの復号・再生方法は、圧縮符号化データ再生装置の、前記記録媒体に記録された圧縮符号化データの識別情報を取得するステップと、前記取得した識別情報に基づき、対応可能な復号方式を選択するステップと、前記選択された復号方式に従い前記記録媒体に記録された圧縮符号化データを復号するステップと、前記選択された復号方式に基づく復号の可否を判定し、前記復号が正常に行われなかった場合、他の対応可能な復号方式を検索するステップと、前記検索された復号方式に順次切り替えて復号を試行し、復号が正常に行われた復号方式に基づき再生を行うステップとを有するものである。
【００１０】
この発明に係る圧縮符号化データ再生装置における圧縮符号化データの復号・再生方法は、圧縮符号化データ再生装置の、外部から復号方式を示す入力情報を取得するステップと、前記入力された復号方式に従い前記記録媒体に記録された圧縮符号化データを復号するステップと、前記入力情報に対応する復号方式に基づき実行される復号が正常に行われなかった場合、他に対応可能な復号方式を検索するステップと、前記検索された復号方式に順次切り替えて復号を試行し、復号が正常に行われた復号方式に基づき再生を行うステップとを有するものである。
【発明の効果】
【００１１】
この発明によれば、記録媒体に記録された圧縮符号化データの識別情報を取得し、もしくは外部から復号方式を示す入力情報を取得し、取得した識別情報もしくは入力情報に対応する復号方式に基づき実行される復号が正常に行われなかった場合、他に対応可能な復号方式を順次切り替えて復号を試行し、復号が正常に行われた復号方式に基づき再生することにより、拡張子等の識別情報によって定義される圧縮符号化方式に依存することなく再生を可能とした圧縮データ再生装置を提供することができる。
【図面の簡単な説明】
【００１２】
【図１】この発明の実施の形態１に係る圧縮符号化データ再生装置の内部構成を示すブロック図である。
【図２】この発明の実施の形態１に係る圧縮符号化データの復号・再生方法の各工程を説明するために引用したフローチャートである。
【図３】この発明の実施の形態２に係る圧縮符号化データ再生装置の内部構成を示すブロック図である。
【図４】この発明の実施の形態２に係る圧縮符号化データの復号・再生方法の各工程を説明するために引用したフローチャートである。
【図５】図１、図３に示す、復号部５２、および復号切替え制御部５３の内部構成を示すブロック図である。
【図６】図５に示す復号切替え制御部５３による復号方式の切替え動作を説明するために引用したフローチャートである。
【発明を実施するための形態】
【００１３】
以下、この発明をより詳細に説明するために、この発明を実施するための最良の形態について、添付の図面に従って説明する。
実施の形態１．
図１は、この発明の実施の形態１に係る圧縮符号化データ再生装置の内部構成を示すブロック図である。
この発明の実施の形態１に係る圧縮符号化データ再生装置は、異なる圧縮符号化方式に従い圧縮され記録される音声もしくは映像等メディアデータ（以下、圧縮データという）が混在記録される記録媒体１と、記録媒体１から図示せぬピックアップを介して記録された圧縮符号化データを読み出すデータ読出し部２と、読出される圧縮符号化データが一時保持されるメモリ部３と、記録媒体１に記録された圧縮符号化データの識別情報（拡張子）をファイルシステム（管理領域）に基づき取得する識別情報取得部４と、拡張子に対応する復号方式に基づき実行される復号が失敗したとき、他に対応可能な復号方式を順次切り替え、再生を行う再生制御部５とで構成される。
【００１４】
再生制御部５はまた、識別情報取得部４を介して取得した拡張子に基づき、対応可能な復号方式を選択する復号選択部５１と、復号選択部５１により選択された復号方式に従い記録媒体１に記録された圧縮符号化データを復号する復号部５２と、復号部５２による復号の可否に基づき、対応可能な復号方式を順次切り替え、再生可能な復号方式を検索して復号部５２に出力する復号切替え制御部５３とで構成される。
【００１５】
図２は、この発明の実施の形態１に係る圧縮符号化データ復号・再生方法の各工程（ステップ）を説明するために引用したフローチャートである。
以下、図２に示すフローチャートを参照しながら、この発明の実施の形態１に係る圧縮符号化データの復号・再生方法の各工程について説明する。
【００１６】
図２のフローチャートにおいて、識別情報取得部４は、記録媒体１の特定の領域に記録されたファイルシステムを参照してファイル名を取得する（ステップＳＴ２１）。このことにより、再生制御部５の復号選択部５１は、識別情報取得部４が取得した拡張子に基づいて対応する復号方式を選択し（ステップＳＴ２２）、復号切替え制御部５３に対し復号部５２による復号再生を指示する。
なお、データ読み出し部２は、既に記録媒体１に記録された圧縮符号化データを読出してメモリ部３に保持してあるものとする。このことにより、復号部５２は、復号切替え制御部５３により出力される復号方式を示す制御指令に基づく復号を行い、再生を開始する（ステップＳＴ２３）。
【００１７】
ここで、復号切替え制御部５３は、復号部５２によって出力される、復号が正常に行われたか否かを示す復号可否情報を取り込んで復号の可否判定を行い（ステップＳＴ２４）、再生の継続を指示するか（ステップＳＴ２５）、もしくは復号方式の切替えを行う（ステップＳＴ２６）。すなわち、復号切替え制御部５３は、復号部５２による圧縮符号化データの復号が正常に行われた場合、復号部５２に対して制御指令（再生継続）を出力し、一方、復号が正常に行われなかった場合、復号方式を順次切替えながら再生可能な復号方式を検索する。そして、ステップＳＴ２３以降の処理を繰り返して復号を試行し、復号が正常に行われた復号方式に基づき再生を行う。
【００１８】
具体的に、再生制御部５は、拡張子“ＷＭＡ”が付与されたＭＰ３オーディオファイルがあったとき、まず、“ＷＭＡ”オーディオの復号方式に基づき復号を行い、復号が正しく行われなかった場合、ＭＰ３オーディオの復号方式に切替え、ＭＰ３オーディオの復号方式で復号を試行する。ここで、復号が成功すればＭＰ３オーディオの復号方式で再生を行う。再度復号が失敗した場合は、他に用意される復号方式で復号を試行し、上記の動作を繰り返す。
【００１９】
上記したこの発明の実施の形態１によれば、復号選択部５１により最初に選択された復号方式に従い再生できなかった圧縮符号化データであっても、復号切替え制御部５３が再生可能な符号化方式を検索し、復号部５２が検索された復号方式に従う復号を繰り返し試行することにより、最終的には再生が可能になる。このことにより、拡張子等によって定義される圧縮符号化方式に依存することなく再生を可能とする圧縮データ再生装置を提供することができる。
なお、ここでは、データ読出し部２により読み出された圧縮符号化データを、メモリ部３を介して復号部５２へ供給する形態について説明したが、データ読出し部２により読出された圧縮符号化データを、メモリ部３を介することなく直接復号部５２へ供給する形態を採ってもよい。但し、この場合、ファイルシステムを読み出すパスは別途必要になる。
【００２０】
実施の形態２．
図３は、この発明の実施の形態２に係る圧縮符号化データ再生装置の内部構成を示すブロック図である。
図３において、図１に示す実施の形態１との差異は、ファイルシステムから拡張子を取得する識別情報取得部４を、入力情報取得部６で代替したことにある。入力情報取得部６は、ユーザにより手動で入力される復号方式を示す入力情報を取得して再生制御部５の復号切替え制御部５３へ直接供給する。このため、実施の形態１のように、再生制御部５として、取得した識別情報に基づき、対応可能な復号方式を選択する復号選択部５１を備えることは必然的に不要になる。
【００２１】
図４は、この発明の実施の形態２に係る圧縮符号化データの復号・再生方法の各工程を説明するために引用したフローチャートである。
以下、図４に示すフローチャートを参照しながら、図３に示すこの発明の実施の形態２に係る圧縮符号化データ再生装置の各工程について説明する。
【００２２】
図４のフローチャートにおいて、まず、入力情報取得部６は、ユーザにより設定入力される復号方式を示す情報を取得して再生制御部５の復号切替え制御部５３に供給する（ステップＳＴ４１）。このことにより、復号切替え制御部５３は、復号部５２に対して制御指令を発行し、入力情報取得部６により取得された復号方式を示す選択情報に基づく復号を指示する。なお、データ読み出し部２は、既に記録媒体１に記録された圧縮符号化データを読み出してメモリ部３に保持してあるものとする。
【００２３】
復号部５２は、復号切替え制御部５３によって出力される復号方式を示す制御指令に従い復号を行い、再生を開始する（ステップＳＴ４２）。
ここで、復号切替え制御部５３は、復号部５２によって出力される復号の可否を示す復号情報を取り込み、この復号情報による復号の可否判定を行い（ステップＳＴ４３）、再生の継続を指示するか（ステップＳＴ４４）、もしくは復号方式の切替えを行う（ステップＳＴ４５）。すなわち、復号切替え制御部５３は、復号部５２による圧縮符号化データの復号が正しく行われた場合、復号部５２に対して制御指令（再生継続）を出力し、一方、復号が正しく行われなかった場合、復号方式を順次切替えながら再生可能な復号方式を検索する。そして、ステップＳＴ２４以降の処理を繰り返して復号を試行し、復号が正常に行われた復号方式に基づき再生を行う。
【００２４】
上記したこの発明の実施の形態２によれば、入力情報取得部６を介して最初に選択された復号方式に従い再生できなかった圧縮符号化データであっても、復号切替え制御部５３が再生可能な符号化方式を検索し、復号部５２が検索された復号方式に従う復号を繰り返し試行することにより、最終的には再生が可能になる。このことにより、入力情報によって定義される圧縮符号化方式に依存することなく再生を可能とする圧縮データ再生装置を提供することができる。
また、ユーザが誤って復号方式を選択し、あるいは意識して切替えた場合でも変更入力を不要とし、このことにより、利便性を提供することができる。
【００２５】
図５は、図１、図３に示す、復号部５２、および復号切替え制御部５３の内部構成を示すブロック図である。
図５に示されるように、復号部５２には、圧縮符号化方式に対応してあらかじめ用意されるそれぞれの復号化方式を持つ復号処理部、ここでは、ＷＭＡデコーダ５２１、ＭＰ３デコーダ５２２、ＡＡＣデコーダ５２３が内蔵されているものとする。ＷＭＡデコーダ５２１、ＭＰ３デコーダ５２２、ＡＡＣ（Advanced Audio Coding）デコーダ５２３は、ともにメモリ部３を介して出力される圧縮符号化データを入力として得、信号切替え部によって出力される制御指令に基づき選択される復号方式に従い、いずれか一つのデコーダが選択され、そのデコーダが持つ復号方式に従う復号結果を出力する。
【００２６】
一方、復号切替え制御部５３は、復号方式切替え部５３１と、復号可否判定部５３２と、復号方式検索部５３３と、復号履歴情報記憶部５３４とで構成される。
復号方式切替え部５３１は、復号部５２による復号を、復号選択部５１により出力される復号方式選択情報、もしくは入力情報取得部６を介して取得される復号方式選択情報に従い選択された復号方式に切替え、制御指令によって復号部５２を起動する。復号方式切替え部５３１はまた、復号部５２による復号を、後述する復号方式検索部５３３により出力される復号方式切替え情報に従い選択された復号方式に切替え、制御指令によって復号部５２を起動する。
【００２７】
また、復号可否判定部５３２は、復号部５２により出力される復号可否情報から、復号選択部５１、もしくは入力情報取得部６を介して取得される復号方式選択情報に従い選択される復号方式に基づく復号が正常に行われたか否かを判定し、その結果によっては復号方式検索部５３３を起動し、また、復号履歴情報記憶部５３４に対して復号履歴情報の保存を行う。復号可否判定部５３２はまた、復号部５２により出力される復号可否情報から、復号方式検索部５３３により出力される復号方式に基づく復号が正常に行われたか否かを判定し、復号方式検索部５３３を起動し、また、復号履歴情報記憶部５３４に対して復号履歴情報の保存を行う。
【００２８】
復号方式検索部５３３は、復号可否判定部５３２が、選択された復号方式に基づく復号が正常に行われなかったと判定したとき、他の対応可能な復号方式を検索し、得られる復号方式に関する復号方式切替え情報を復号方式切替え部５３１に出力する。
なお、復号履歴情報記憶部５３４には、復号部５２による復号の都度生成される、例えば、復号部５２にあらかじめ用意されるデコーダ５２１、５２２、５２３毎の復号累積時間等に関する復号履歴情報が保存される。復号方式検索部５３３は、復号履歴情報記憶部５３４に保存された復号履歴情報を参照し、例えば、復号累積時間の大きな復号方式を最優先に検索出力するものとする。
【００２９】
図６は、図５に示す復号切替え制御部５３による復号方式の切替え動作を説明するために引用したフローチャートである。
以下、図６に示すフローチャートを参照しながら、図５に示す復号切替え制御部５３の動作について詳細に説明する。
【００３０】
復号切替え制御部５３は、まず、復号方式切替え部５３１において、復号選択部５１もしくは入力情報取得部６を介して出力される復号方式選択情報を取得したとき（ステップＳＴ２６１）、その復号方式選択情報を制御指令として復号部５２へ供給し、復号部５２に対してその復号方式選択情報に基づく復号を指示する。
復号部５２は、復号方式切替え部５３１により出力される制御指令に従い、対応して用意されるデコーダ５２１〜５２３の一つを選択し、ここで選択されたデコーダによる復号を行う（ステップＳＴ２６２）。なお、ここで復号され生成される復号情報は、図示せぬＤ／Ａ（Digital／Analog）コンバータから成る再生系へ出力される他に、復号切替え制御部５３に対して復号可否情報が出力される。
【００３１】
復号切替え制御部５３は、復号可否判定部５３２が入力される信号可否情報に基づき復号が正常に行われたか否かを判定し（ステップＳＴ２６３）、正常に復号が行われた場合（ステップＳＴ２６３“可”）は、その復号情報に基づき、再生系による、音声、映像メディアの再生が実行される（ステップＳＴ２６４）。
一方、復号が正常に行われなかった場合（ステップＳＴ２６３“否”）、復号方式検索部５３３は、復号履歴情報記憶部５３４に保存された、あらかじめ用意されたデコーダ５２１〜５２３毎の復号累積時間等に関する復号履歴情報を参照し（ステップＳＴ２６５）、例えば、復号累積時間の大きな復号方式を優先的に選択し、次に試行すべき復号方式として検索し、復号方式切替え情報として復号方式切替え部５３１へ供給する（ステップＳＴ２６６）。
【００３２】
なお、復号履歴情報記憶部５３４には、復号部５２による復号の都度、あらかじめ用意されたデコーダ５２１、５２２、５２３毎の復号累積時間等に関する復号履歴情報が生成され、保存されているものとする。
【００３３】
続いて復号方式切替え部５３１は、復号方式検索部５３３によって出力される復号方式に基づいて復号すべく制御指令（復号切替え情報）を復号部５２へ供給する。このことにより、復号部５２は（ステップＳＴ２６７“ＹＥＳ”）、その制御指令に基づき、対応する復号方式を持つデコーダ５２１〜５２３を選択し、復号部５２による復号（ステップＳＴ２６２）、および復号方式検索部５３３による、次に復号すべき復号方式の検索（ステップＳＴ２６６）を繰り返し、最終的に正常に復号が行われる復号方式を選択してメディア再生を行う（ステップＳＴ２６４）。
上記したように復号方式を順次切替えながら再生可能な復号方式を検索し、復号を試行することで、最初に選択された復号方式では再生できない場合にも再生を可能にする。
【００３４】
以上説明のようにこの発明は、記録媒体１に記録された圧縮符号化データの識別情報（拡張子）を取得し、もしくは外部から復号方式を示す入力情報を取得し、取得した識別情報もしくは入力情報に対応する復号方式に基づき実行される復号が正常に行われなかった場合、他に対応可能な復号方式を順次切り替えて復号を試行し、復号が正常に行われた復号方式に基づき再生することにより、識別情報等によって定義される圧縮符号化方式に依存することなく再生を可能とする圧縮データ再生装置を提供するものである。
なお、この発明は、圧縮符号化方式の異なる圧縮符号化データが混在して記録されて成る記録媒体の再生に用いて特に顕著な効果が得られる。
【００３５】
なお、上記したこの発明の実施の形態１、実施の形態２によれば、圧縮復号化データとして、ＷＭＡ、ＭＰ３の圧縮音声データについてのみ説明したが、他に、ＡＴＲＡＣ（Adaptive Transform Acoustic）、あるいは、圧縮映像データとして、ＭＰＥＧ１（Moving Picture Expert Group 1）、ＭＰＥＧ２（Moving Picture Expert Group 2）、ＭＰＥＧ４（Moving Picture Expert Group 4）、ＷＭＶ（Windows Media Video）（Windowsは登録商標）、ＡＶＩ（Audio Video Interleaving）にも同様に適用が可能である。
【００３６】
以上のように、この発明に係る、ファイルの拡張子等の識別情報に依存することなく再生を可能とした圧縮符号化データ再生装置および圧縮符号化データの再生方法は、ＣＤ（Compact Disc）、ＤＶＤ（Digital Versatile Device）、ＨＤ（Hard Disc）等の記録媒体に記録された音声や映像等を再生するマルチメディア圧縮データ再生機器などに用いるのに適している。
【図１】
0004611420.tif 000002
【図２】
0004611420.tif 000003
【図３】
0004611420.tif 000004
【図４】
0004611420.tif 000005
【図５】
0004611420.tif 000006
【図６】
0004611420.tif 000007